(57)【要約】  【課題】眼鏡の使用時以外は常に眼鏡のレンズ部に装着しておける眼鏡カバーに関し、常に携帯するのに適した構成になっていて、使用時以外は常にレンズ部のみを保護することのできる眼鏡カバーを実現する。  【解決手段】眼鏡の左右両方のレンズの表裏両面に当てる左右両方のレンズカバーが一体になっており、蔓の部分は露出する構造になっていて、レンズ部のみカバーし、蔓の部分はカバーの外に露出する。その結果、眼鏡カバー自体が小型で軽量となり、常に携帯して、常にレンズ部の保護に使用できる。また、レンズ部に装着した状態でも、胸ポケットなどに入れることもできるので、ポケット中で筆記具などでレンズ部が傷ついたりするのを防げる。【選択図】          図７
2005278802.tif 000002
【特許請求の範囲】
【請求項１】
眼鏡の左右両方のレンズの表裏両面に当てる左右両方のレンズカバーが一体または紐材もしくは帯材で連結されており、蔓の部分は露出する構造になっていることを特徴とする眼鏡カバー。
【請求項２】
前記の左右両方のレンズカバーが開閉可能に二つ折りになっており、先端同士をゴム紐などの伸縮材で連結するか、先端同士が磁石その他の手段で着脱できる構造になっていることを特徴とする請求項１に記載の眼鏡カバー。
【請求項３】
前記の左右両方のレンズカバーの部分が筒状になっていて、筒状部の中にレンズ部分を挿入する構造になっていることを特徴とする請求項１に記載の眼鏡カバー。
【請求項４】
前記の左右両方のレンズ表裏両面の当たる部分がレンズ拭き材からできていることを特徴とする請求項１、請求項２または請求項３に記載の眼鏡カバー。
【請求項５】
前記のレンズカバーが、レンズ拭き材の外側にカバー材を有する２層構造になっており、レンズの表裏両面とも、カバー材とレンズ拭き材との間に指を挿入できる開口が空いていることを特徴とする請求項１から請求項４までのいずれかの項に記載の眼鏡カバー。
【発明の詳細な説明】
【技術分野】
【０００１】
本発明は、眼鏡の使用時以外は常に眼鏡のレンズ部に装着しておける眼鏡カバーに関する。
【背景技術】
【０００２】
通常の眼鏡ケースは、堅牢なハードケースの中に眼鏡全体を収納する構造になっているので、長時間保管するのには適しているが、短時間のみ、あるいは頻繁に外しておく場合には、ハードケースに入れるまでもなく、利用されていないのが実情である。また、頻繁に眼鏡を着脱して保管する場合は、眼鏡ケースも携行することになるが、眼鏡と共に常に携行するのには大きすぎたり、重すぎたりして、携行には適しない。
【０００３】
特開平９−173127号公報に記載のように、前記のような眼鏡ケースに眼鏡を収納保管する際に、レンズの保護のために、レンズが触れる位置にクッションを貼っておく発明が提案されている。あるいは、登録実用新案第3001275 号のように、眼鏡クリーナーにおいて、カード式にして携帯し易くしたり、ポケット中の塵埃や砂などでレンズが傷つくのを防ぐようにした考案が提案されている。
【特許文献１】特開平９−173127
【特許文献２】登録実用新案第3001275
【発明の開示】
【発明が解決しようとする課題】
【０００４】
しかしながら、特許文献１の場合は、ハードケースを前提としたクッションであるため、大型で重い眼鏡ケースに伴う欠点は克服できない。一方、特許文献２の場合は、常時携行しておいて、随時取り出してレンズを清掃するのには適しているが、外しておいた際に、レンズが傷ついたり汚れたりするのを防ぐことはできない。したがって、例えば短時間のみ胸ポケットなどに眼鏡を入れておいた場合に、ボールペンなどの筆記具などによってレンズが傷ついたりするのを防いだりすることは不可能である。あるいは、眼鏡ケースが付近に存在しない場合には、裸の眼鏡のまま無造作に置いた場合に、衝撃でレンズが傷ついたり、汚れたりすることは免れない。
【０００５】
本発明の技術的課題は、このような問題に着目し、常に携帯するのに適した構成になっていて、使用時以外は常にレンズ部のみを保護することのできる眼鏡カバーを実現することにある。
【課題を解決するための手段】
【０００６】
本発明の技術的課題は次のような手段によって解決される。請求項１は、眼鏡の左右両方のレンズの表裏両面に当てる左右両方のレンズカバーが一体になっており、蔓の部分は露出する構造になっていることを特徴とする眼鏡カバーである。このように、本発明による眼鏡カバーは、眼鏡の左右両方のレンズの表裏両面に当てる左右両方のレンズカバーが一体になっており、蔓の部分は露出する構造になっているので、眼鏡のレンズ部のみに装着されてレンズ部のみカバーし、蔓の部分はカバーの外に露出することになる。その結果、眼鏡カバー自体も小型で軽量な構成となり、常に携行して、常にレンズ部の保護に使用することができる。また、レンズ部に装着した状態でも、胸ポケットなどに入れることもできるので、ポケット中で筆記具などでレンズ部が傷ついたりするのを防ぐこともできる。さらに卓上などから眼鏡が落下したりしても、レンズ部は眼鏡カバーで覆われているので、レンズ部が傷ついたり、割れたりすることも防止でき、従来のハードケースとしての保護機能も果たすことができる。
【０００７】
請求項２は、前記の左右両方のレンズカバーが開閉可能に二つ折りになっており、先端同士をゴム紐などの伸縮材で連結するか、先端同士が磁石その他の手段で着脱できる構造になっていることを特徴とする請求項１に記載の眼鏡カバーである。このように、前記の左右両方のレンズカバーが開閉可能に二つ折りになっていて、先端同士をゴム紐などの伸縮材で連結するか、先端同士が磁石その他の手段で着脱できる構造になっているため、二つ折り部を開いてレンズ部に被せた状態で、離脱不能に取付けておくことができる。また、レンズ部から取り外す際は、二つ折り部を開いて、レンズ部から容易に離脱できる。
【０００８】
請求項３は、前記の左右両方のレンズカバーの部分が筒状になっていて、筒状部の中にレンズ部分を挿入する構造になっていることを特徴とする請求項１に記載の眼鏡カバーである。このように、前記の左右両方のレンズカバーの部分が筒状になっていて、筒状部の中にレンズ部分を挿入する構造になっているので、筒状部中に蔓の部分を挿通した後に、続いてレンズ部を挿入することができ、逆の操作によって簡単にレンズ部から取り外すこともできる。したがって、二つ折りの開閉構造以外でもレンズ部のみを保護することができる。
【０００９】
請求項４は、前記の左右両方のレンズ表裏両面の当たる部分がレンズ拭き材からできていることを特徴とする請求項１、請求項２または請求項３に記載の眼鏡カバーである。このように、前記の左右両方のレンズの表裏両面の当たる部分がレンズ拭き材からできているため、レンズ部に装着している間に、自然に、あるいはレンズ部に着脱する際の摩擦によって、レンズ部の汚れが除去されることになり、レンズ拭きの作業が軽減される。
【００１０】
請求項５は、前記のレンズカバーが、レンズ拭き材の外側にカバー材を有する２層構造になっており、レンズの表裏両面とも、カバー材とレンズ拭き材との間に指を挿入できる開口が空いていることを特徴とする請求項１から請求項４までのいずれかの項に記載の眼鏡カバーである。このように、前記のレンズカバーが、レンズ拭き材の外側にカバー材を有する２層構造になっており、レンズの表裏両面とも、カバー材とレンズ拭き材との間に指を挿入できる開口が空いているため、この開口から指を挿入して、レンズを挟むようにして、レンズ拭き材によってレンズの汚れを拭き取ることができる。このように、このレンズ拭き材がカバー材の内面に付いているので、眼鏡カバーを着脱する際に、ついでにレンズ拭きでき、特別にレンズ拭き材を用意する必要性がない。
【発明の効果】
【００１１】
請求項１のように、本発明による眼鏡カバーは、眼鏡の左右両方のレンズの表裏両面に当てる左右両方のレンズカバーが一体になっており、蔓の部分は露出する構造になっているので、眼鏡のレンズ部のみに装着されてレンズ部のみカバーし、蔓の部分はカバーの外に露出することになる。その結果、眼鏡カバー自体も小型で軽量な構成となり、常に携行して、常にレンズ部の保護に使用することができる。また、レンズ部に装着した状態でも、胸ポケットなどに入れることもできるので、ポケット中で筆記具などでレンズ部が傷ついたりするのを防ぐこともできる。さらに卓上などから眼鏡が落下したりしても、レンズ部は眼鏡カバーで覆われているので、レンズ部が傷ついたり、割れたりすることも防止でき、従来のハードケースとしての保護機能も果たすことができる。
【００１２】
請求項２のように、前記の左右両方のレンズカバーが開閉可能に二つ折りになっていて、先端同士をゴム紐などの伸縮材で連結するか、先端同士が磁石その他の手段で着脱できる構造になっているため、二つ折り部を開いてレンズ部に被せた状態で、離脱不能に取付けておくことができる。また、レンズ部から取り外す際は、二つ折り部を開いて、レンズ部から容易に離脱できる。
【００１３】
請求項３のように、前記の左右両方のレンズカバーの部分が筒状になっていて、筒状部の中にレンズ部分を挿入する構造になっているので、筒状部中に蔓の部分を挿通した後に、続いてレンズ部を挿入することができ、逆の操作によって簡単にレンズ部から取り外すこともできる。したがって、二つ折りの開閉構造以外でもレンズ部のみを保護することができる。
【００１４】
請求項４のように、前記の左右両方のレンズの表裏両面の当たる部分がレンズ拭き材からできているため、レンズ部に装着している間に、自然に、あるいはレンズ部に着脱する際の摩擦によって、レンズ部の汚れが除去されることになり、レンズ拭きの作業が軽減される。
【００１５】
請求項５のように、前記のレンズカバーが、レンズ拭き材の外側にカバー材を有する２層構造になっており、レンズの表裏両面とも、カバー材とレンズ拭き材との間に指を挿入できる開口が空いているため、この開口から指を挿入して、レンズを挟むようにして、レンズ拭き材によってレンズの汚れを拭き取ることができる。このように、このレンズ拭き材がカバー材の内面に付いているので、眼鏡カバーを着脱する際に、ついでにレンズ拭きでき、特別にレンズ拭き材を用意する必要性がない。
【発明を実施するための最良の形態】
【００１６】
次に本発明による眼鏡カバーが実際上どのように具体化されるか実施形態を説明する。図１は、本発明による眼鏡カバーを眼鏡に装着した状態を示す斜視図であり、眼鏡カバーＣは鎖線で示してある。本発明の眼鏡カバーＣは、眼鏡の左レンズＬ１の表面カバー１と裏面カバー２と右レンズＬ２の表面カバー３と裏面カバー４とからなっている。そして、左レンズ用のカバー１、２と右レンズ用のカバー３、４とは連続部５で連結されている。
【００１７】
図１のＡ−Ａ位置を断面で示すと、図２のとおりであり、レンズＬ１の表裏両面のカバー１と２は上部で連続しており、逆Ｕ字状に折り曲げた格好をしている。そして、下端１ａと２ａの内面は、例えば永久磁石Ｍと磁性板Ｆとで吸着されている。右側のレンズＬ２の位置も全く同じ構成となっている。眼鏡の蔓の部分６、６を閉じる場合は、図７のように、眼鏡カバーＣの裏面側カバー２、４の上に折り畳むので、通常の眼鏡ケースと違って、蔓６、６は、常に眼鏡カバーの外側に露出することになる。したがって、本発明の場合は、レンズ部分だけのカバーとなる。なお、鼻当て（パッド）Ｐとその支持用のパッド足７もカバーされずに、露出する。永久磁石Ｍの部分を磁力に逆らって分離すると、表裏のカバー１・２、３・４の下端１ａ、２ａが開くので、眼鏡カバーＣを眼鏡から容易に取り外すことができる。
【００１８】
図３から図６は、眼鏡カバーの各種実施形態であり、図３は図１に鎖線で示した眼鏡カバーの斜視図である。図３において、左レンズＬ１側の表面カバー１と裏面カバー２とが上端部８で逆Ｕ字状に連続している。同様に、右レンズＬ２側の表面カバー３と裏面カバー４とが上端部９で逆Ｕ字状に連続している。そして、表面カバー１と３、裏面カバー２と４は、逆Ｕ字状の状態で、連続部１０において連続している。そして、左レンズＬ１側の表面カバー１の下端内面には、永久磁石Ｍが接着固定してあり、裏面カバー２の下端内面には、鉄板などのような磁性体Ｆが接着固定されている。同様に、右レンズＬ２側の表面カバー３の下端内面には、永久磁石Ｍが接着固定してあり、裏面カバー４の下端内面には、鉄板などのような磁性体Ｆが接着固定されている。
【００１９】
この眼鏡カバーＣの使用に際しては、図のように永久磁石Ｍと磁性体Ｆが分離し、左右のカバー１と２、３と４の下端が互いに開いた状態において、図１の眼鏡の左右のレンズＬ１、Ｌ２の上端から被せる。そして、左右のレンズリムの上端部１１、１２が眼鏡カバーの逆Ｕ字状の連続部８、９の内面に当たるまで被せると、カバー１、２と３、４の下端がレンズリムの下端部より下側に突出する。したがって、互いに対応する永久磁石Ｍと磁性体Ｆとを接近させると、互いに磁力で吸着し、開いていたカバー１、２と３、４の下端が閉じられて、図１、図２の状態となる。その結果、永久磁石Ｍと磁性体Ｆとを分離するような外力が作用しない限り、自然にカバー下端が開くことはない。
【００２０】
こうして、カバー下端が閉じた状態では、左右のレンズＬ１・Ｌ２の表面側には、表面カバー１、３が当たり、裏面側には、裏面カバー２、４が当たるので、左右のレンズＬ１、Ｌ２の表裏両面がカバーされて保護されることになる。すなわち、異物が当たってレンズが傷ついたり、汚れが付着したりするのを防止できる。また、眼鏡カバーＣを装着したことによって、外形が嵩張ったりすることはないので、図７のように、裏面カバー２、４の上に蔓６、６を折り畳んだ状態で、そのままポケットなどに挿入することもできる。そして、ポケットの内部でも、レンズＬ１、Ｌ２は、表裏両面のカバー１〜４でカバーされているので、ポケット内に挿入した筆記具などによって、レンズが傷つく恐れはない。また、蔓６、６は露出しているので、若者がするように、外側の蔓６のみをポケットの中に挿入し、その他の部分はポケットの外に露出させるようにして、眼鏡をポケットの上縁に引っ掛けるようなこともできる。したがって、眼鏡カバーを装着してあるにも係わらず、眼鏡カバーの存在を意識しないで使用できる。
【００２１】
図３の場合は、左右のカバー２と４、１と３が連続部１０において一体に連続しているのに対し、図４の場合は、裏面側のカバー２、４間が帯状材や紐材１３で連結されており、また表面側のカバー１、３間が帯状材や紐材１４で連結されている。そして、帯状材や紐材１３、１４は自由に変形できるので、４枚のカバー１〜４を重ねることによって、レンズ１枚分と同様に扱うこともできる。
【００２２】
すなわち、図３のような連続部１０で連続している眼鏡カバーは、蔓６、６を折り畳んだ眼鏡とほぼ同じ外寸となり、同じサイズとなる。これに対し、図４のように、紐材１３、１４で連結した場合は、紐材１３、１４で二つ折りにすると、左側のカバー１、２と右側のカバー３、４とを重ねて、４枚のカバー１〜４が重なった状態にできるので、サイズを半分にできる。その結果、ポケットなどに収納して携行するのに便利である。なお、図４の紐材の本数は３本以上でもよいし、１本のみでもよい。
【００２３】
図４の場合も、カバー下端を閉じた状態に保持するには、永久磁石と磁性体を対にして取付けることができるが、微細なフックがリングに引っ掛かる原理を利用した着脱式の面テープすなわちマジックテープ（登録商標）などを利用することもできる。シリコーンゴムなどのような粘着材を利用した、着脱式の粘着テープなども利用できる。図４では、ゴム紐１５、１６を取付けてある。すなわち、左側の表面カバー１と裏面カバー２の下端間をゴム紐１５で連結してあり、右側の表面カバー３と裏面カバー４の下端間をゴム紐１６で連結してある。したがって、ゴム紐１５、１６の張力に逆らって、左側のカバー１、２の下端間、右側のカバー３、４の下端間を開くことによって、眼鏡の左右のレンズＬ１、Ｌ２の上に被せたり、取り外したりすることができる。なお、ゴム紐１５、１６の取付け位置は自由である。
【００２４】
以上の眼鏡カバーは二つ折りになっていて、開閉する構造であるのに対し、図５は、左右両方のレンズＬ１、Ｌ２を挿入できるような筒状になっている。図５のような筒状カバー１７の中に、矢印ａ１方向から眼鏡のレンズＬ１、Ｌ２の部分を挿入する。挿入順序は、図１の左側の蔓６の先セル（モダン）１８の部分から、筒内部１７ｉ中に挿入し、次いで左側のヒンジ（蝶番）１９、左側のレンズＬ１、右側のレンズＬ２の順に挿入していくと、挿入完了である。左右の蔓６、６は、この筒状カバー１７の外側に折り重ねることになる。図１〜図４の眼鏡カバーの場合は、鼻当て（パッド）Ｐやパッド足７はカバーの外に露出するのに対し、図５の筒状カバー１７の場合は、内部に収納されることになる。
【００２５】
以上の眼鏡カバーの材質は、布製が適している。織り方は自由であり、模様などで装飾された織物でもよい。あるいは、不織布でもよい。柔軟性の富んだ材質でもよいし、２枚以上を重ねて、多少腰の強い状態に製作してもよい。柔軟性に富んだ合成樹脂や皮革も可能である。図４のように、「ＡＢＣ…」のように文字や図柄などを表示して、広告宣伝やファッションなどにも利用できる。そしてこれらの材料は、少なくともレンズＬ１、Ｌ２と接する面は、レンズ面を傷つけないように、ソフトな材質がよい。内面のみソフトな材質で、外面はハードな材質でもよい。
【００２６】
図６は、外側は比較的ハードなカバー材１８からなり、レンズＬ１、Ｌ２と接する面はソフトなカバー材１９から成っている。そして、少なくともカバー下端部において、互いに接着又は縫い合わせによって一体化されている。一体化部分の内側には、永久磁石Ｍと磁性体Ｆが取付けてある。したがって、レンズＬ１、Ｌ２の表裏に被せて、永久磁石Ｍと磁性体Ｆとを吸着させて、カバー下端を閉じると、レンズの表裏両面には、常にソフトなカバー材１９、１９がソフトに接するので、レンズに対する衝撃も緩和され、傷つき防止に有効である。
【００２７】
また、図６の表裏のソフトカバー１９、１９をレンズ拭き材で構成してもよい。その結果、左右両方のレンズＬ１、Ｌ２の表裏両面にレンズ拭き材が接することになるので、眼鏡カバーＣを眼鏡のレンズに着脱する際に、レンズ拭き材からなるソフトカバー１９、１９がレンズに接する際に汚れが拭き落とされることになる。したがって、特別にレンズ拭きの処理が必要無くなる。
【００２８】
図６のように、外カバー１８とソフトな内カバー１９の２層構造になっている場合は、間に指を挿入して、レンズ拭き操作をすることもできる。すなわち、図６において、レンズ両面の外カバー１８、１８の一部に、指挿入孔２０、２０を開けてある。図３〜５における眼鏡カバーが２層構造だと仮定すると、指挿入孔２０、２０は、図示のように、３ｃｍ程度の長さのスリット状にカットした構成がよい。外カバー１８、１８が柔軟性に富んでおれば、片方のスリット状の指挿入孔２０に親指を挿入し、他方のスリット状の指挿入孔２０から人指し指を挿入すれば、ソフトカバー１９、１９をレンズ表面に摺動させて、レンズ拭きできる。
【産業上の利用可能性】
【００２９】
以上のように、本発明による眼鏡カバーは、レンズ部のみをカバーし、蔓の部分は眼鏡カバーの外側に露出するので、薄型でかつ軽いため、常に携帯するのに適しており、しかも使用時以外は常に大事なレンズ部を保護することができる。
【図面の簡単な説明】
【００３０】
【図１】本発明による眼鏡カバーを眼鏡に装着した状態を示す斜視図である。
【図２】図１のＡ−Ａ位置の断面図である。
【図３】図１に鎖線で示した眼鏡カバーの斜視図である。
【図４】左右のカバーを紐材で連結した実施形態の斜視図である。
【図５】筒状の眼鏡カバーの実施形態を示す斜視図である。
【図６】外カバーとソフトな内カバーから成る眼鏡カバーの断面図である。
【図７】眼鏡カバーを装着した状態で左右の蔓を折り畳んだ状態の斜視図である。
【符号の説明】
【００３１】
Ｌ１  左レンズ
Ｌ２  右レンズ
Ｃ  眼鏡カバー
１・３  表面カバー
２・４  裏面カバー
１ａ・２ａ  カバー下端
５  連続部
６  蔓  
Ｐ  パッド（鼻当て）
７  パッド足
Ｍ  永久磁石
Ｆ  磁性体
１０  連続部
１１・１２  レンズリムの上端部
１３・１４  紐材
１５・１６  ゴム紐
１７  筒状カバー
２０  指挿入孔
【図１】
2005278802.tif 000003
【図２】
2005278802.tif 000004
【図３】
2005278802.tif 000005
【図４】
2005278802.tif 000006
【図５】
2005278802.tif 000007
【図６】
2005278802.tif 000008
【図７】
2005278802.tif 000009